(57)【要約】【課題】DMDを用いた投写型表示装置に搭載される、小型で広画角かつ高性能な2群ズーム投影レンズを提供する。【解決手段】拡大側より順に、負の屈折力を有する第1レンズ群G１と、正の屈折力を有する第2レンズ群G２を配設してなり、前記第2レンズ群G２は前群、後群の順に拡大側より配設されてなり、前記前群は拡大側より順に、2枚以上の正レンズと、1枚以上の負レンズを配設し、前記後群は拡大側より順に、1枚以上の負レンズと、2枚以上の正レンズを配設してなり、さらに、前記前群の負レンズの1枚は拡大側に凹面を向けてなり、かつ前記後群の負レンズの1枚は縮小側に凹面を向けてなり、下記条件式(1)〜(3)を満足することを特徴とする。(1)ｎ２ｉ>1.75(2)0.8<Ｄ２/ｆ２<1.2(3)0.6<ｆｗ/ｆ２<0.8,ｎ２ｉ：第1レンズ群内の負レンズを構成する硝材のｄ線に対する屈折率,Ｄ２：第2レンズ群の全長,ｆ２：第2レンズ群の焦点距離,ｆｗ：レンズ全系の広角端での焦点距離【選択図】          図１
2007079107.tif 000002
【特許請求の範囲】
【請求項１】
拡大側より順に、負の屈折力を有する第１レンズ群と、正の屈折力を有する第２レンズ群を配設してなり、前記第２レンズ群は前群、後群の順に拡大側より配設されてなり、前記前群は拡大側より順に、２枚以上の正レンズよりなる群と、１枚以上の負レンズよりなる群を配設し、前記後群は拡大側より順に、１枚以上の負レンズよりなる群と、２枚以上の正レンズよりなる群を配設してなり、
さらに、前記前群の負レンズよりなる群の１枚のレンズは拡大側に凹面を向けて配置されるとともに前記後群の負レンズよりなる群の１枚のレンズは縮小側に凹面を向けて配置されてなり、
下記条件式（１）〜（３）を満足することを特徴とする２群ズーム投影レンズ。
（１）ｎ２ｉ＞１．７５
（２）０．８＜Ｄ２／ｆ２＜１．２
（３）０．６＜ｆｗ／ｆ２＜０．８
ただし、
ｎ２ｉ：第２レンズ群内の負レンズを構成する硝材のｄ線に対する屈折率（ｉは該負レンズのレンズ番号）
Ｄ２：第２レンズ群の全長
ｆ２：第２レンズ群の焦点距離
ｆｗ：レンズ全系の広角端での焦点距離
【請求項２】
前記第１レンズ群は、拡大側より順に、正レンズ、拡大側に凸面を向けた負のメニスカスレンズ、負レンズ、正レンズおよび負レンズを配設してなり、下記条件式（４）を満足することを特徴とする請求項１記載の２群ズーム投影レンズ。
（４）０．６＜ｆｗ／｜ｆ１｜＜０．９
ただし、
ｆ１：第１レンズ群の焦点距離
【請求項３】
前記第１レンズ群は、拡大側より順に、正レンズ、拡大側に凸面を向けた負のメニスカスレンズ、負レンズおよび正レンズを配設してなり、下記条件式（４）を満足することを特徴とする請求項１記載の２群ズーム投影レンズ。
（４）０．６＜ｆｗ／｜ｆ１｜＜０．９
ただし、
ｆ１：第１レンズ群の焦点距離
【請求項４】
光源と、ライトバルブと、該光源からの光束を該ライトバルブへ導く照明光学部と、請求項１〜３のうちいずれか１項記載の２群ズーム投影レンズとを備え、前記光源からの光束を前記ライトバルブで光変調し、前記２群ズーム投影レンズによりスクリーンに投影することを特徴とする投写型表示装置。
【発明の詳細な説明】
【技術分野】
【０００１】
本発明は、投写型表示装置に搭載される２群ズーム投影レンズおよびその投写型表示装置に関し、特にライトバルブにＤＭＤ（デジタル・マイクロミラー・デバイス）を採用したプロジェクタ装置に用いられる投影レンズに関するものである。
【背景技術】
【０００２】
近年、液晶表示装置に加え、ＤＭＤ表示装置を用いた投影プロジェクタ装置（投写型表示装置）が知られるようになってきている。ＤＭＤは、入力されたビデオ信号に応じ、１０度以上程度の範囲で傾きを変えることができる高反射率の矩形状の微小な鏡を用いて、光源からの光の反射方向を制御し、所望の反射光のみをスクリーン上に集束させてその映像の投影を可能としている。これは、例えば基板上に数百万個以上の鏡を縦横に配列し、全て独立してデジタル制御することによりなされるもので、各鏡が各々映像中の１画素に対応することとなる。
【０００３】
また、ＤＭＤは液晶表示装置と異なり、照射光を偏光する必要がないので光量の損失が少なく、階調表現の正確性という点でも優れている。それ故、このような利点を有するＤＭＤを用いた投影プロジェクタ装置においては、ＤＭＤに応じて鮮明かつ高精度な投影画像を得ることができるように良好なレンズ特性を有する投影レンズが要求される。これらの要求に応えるべく、広画角で諸収差の補正を行い得る投影レンズが提案されている（特許文献１参照）。
【０００４】
【特許文献１】特開２００４−２７１６６８号公報
【発明の開示】
【発明が解決しようとする課題】
【０００５】
上述したように、ＤＭＤを用いた投影プロジェクタ装置用の投影レンズとしては、そのプロジェクタの特性および要求に応じたものであることが必要である。したがって、第１に高性能で小型なものが要求されることになるが、さらに広画角で色収差や歪曲収差を始めとする諸収差の補正も良好であることが当然に要求される。特に高精細なカラー画像が要求される今日においては、色収差の面でも良好なものが要求される。
【０００６】
本発明は上記事情に鑑みなされたものであり、ＤＭＤを用いた投影プロジェクタ装置に用いられる投影レンズにおいて、小型で広画角、かつ諸収差を良好に補正し得る２群ズーム投影レンズおよび投写型表示装置を提供することを目的とする。
【課題を解決するための手段】
【０００７】
本発明の２群ズーム投影レンズは、拡大側より順に、負の屈折力を有する第１レンズ群と、正の屈折力を有する第２レンズ群を配設してなり、前記第２レンズ群は前群、後群の順に拡大側より配設されてなり、前記前群は拡大側より順に、２枚以上の正レンズよりなる群と、１枚以上の負レンズよりなる群を配設し、前記後群は拡大側より順に、１枚以上の負レンズよりなる群と、２枚以上の正レンズよりなる群を配設してなり、
さらに、前記前群の負レンズよりなる群の１枚のレンズは拡大側に凹面を向けて配置されるとともに前記後群の負レンズよりなる群の１枚のレンズは縮小側に凹面を向けて配置されてなり、
下記条件式（１）〜（３）を満足することを特徴とするものである。
（１）ｎ２ｉ＞１．７５
（２）０．８＜Ｄ２／ｆ２＜１．２
（３）０．６＜ｆｗ／ｆ２＜０．８
ただし、
ｎ２ｉ：第２レンズ群内の負レンズを構成する硝材のｄ線に対する屈折率（ｉは該負レンズのレンズ番号）
Ｄ２：第２レンズ群の全長
ｆ２：第２レンズ群の焦点距離
ｆｗ：レンズ全系の広角端での焦点距離
なお、条件式（３）は０．６５＜ｆｗ／ｆ２＜０．７５であることがより望ましい。
【０００８】
また、前記第１レンズ群は、拡大側より順に、正レンズ、拡大側に凸面を向けた負のメニスカスレンズ、負レンズ、正レンズおよび負レンズを配設してなるようにし、上記条件式（４）を満足することが好ましい。
（４）０．６＜ｆｗ／｜ｆ１｜＜０．９
ただし、
ｆ１：第１レンズ群の焦点距離
【０００９】
また、前記第１レンズ群は、拡大側より順に、正レンズ、拡大側に凸面を向けた負のメニスカスレンズ、負レンズおよび正レンズを配設してなり、上記条件式（４）を満足するようにすることも好ましい。
【００１０】
さらに、本発明に係る投写型表示装置は、光源と、ライトバルブと、該光源からの光束を該ライトバルブへ導く照明光学部と、上述した本発明に係る２群ズーム投影レンズとを備え、前記光源からの光束を前記ライトバルブで光変調し、前記２群ズーム投影レンズによりスクリーンに投影することを特徴とするものである。
【発明の効果】
【００１１】
本発明の２群ズーム投影レンズによれば、負の屈折力を有する第１レンズ群をスクリーン側に配置することによりレトロフォーカスタイプとし、広角化を達成している。
【００１２】
また、第２レンズ群を前群と後群とに分けて、光軸方向に対称的な構成とし、前群の負レンズの凹面を拡大側へ向けるとともに後群の負レンズの凹面を縮小側へ向けて、該２つの凹面を互いに逆向きとしたレンズ配置とすることにより、色収差および歪曲収差を始めとする諸収差を抑制することができる。
【００１３】
さらに、所定の条件式（１）〜（４）を満足することにより、小型化を図りつつ諸収差をさらに良好なものとすることができる。
【発明を実施するための最良の形態】
【００１４】
以下、本発明の具体的な実施形態について図面を参照しつつ説明する。図１に示す実施形態（実施例１のものを代表させて示している）の２群ズーム投影レンズは、拡大側より順に、負の屈折力を有する第１レンズ群Ｇ１、正の屈折力を有する第２レンズ群Ｇ２、カバーガラス（フィルタ部）２およびＤＭＤ１を配設してなる。なお、図中Ｘは光軸を表している。
【００１５】
ここで第１レンズ群Ｇ１は、拡大側より順に正レンズである第１レンズＬ１、拡大側に凸面を向けた負のメニスカスレンズよりなる第２レンズＬ２、負レンズである第３レンズＬ３、正レンズである第４レンズＬ４および負レンズである第５レンズＬ５からなる。一方、第２レンズ群Ｇ２においては、前群は拡大側より順に、正レンズである第６レンズＬ６、正レンズである第７レンズＬ７、正レンズである第８レンズＬ８、拡大側に凹面を向けた負レンズよりなる第９レンズＬ９からなり、後群は拡大側より順に、縮小側に凹面を向けた負レンズよりなる第１０レンズＬ１０、正レンズである第１１レンズＬ１１および正レンズである第１２レンズＬ１２からなる。
【００１６】
なお、第１レンズ群Ｇ１は、上記構成に替えて、拡大側より順に正レンズである第１レンズＬ１、拡大側に凸面を向けた負のメニスカスレンズよりなる第２レンズＬ２、負レンズである第３レンズＬ３および正レンズである第４レンズＬ４からなる４枚レンズ構成となるようにしても良い。
【００１７】
また、第２レンズ群Ｇ２のレンズ構成は上記の構成に限られるものではなく、負レンズをさらに１枚以上加えたり、正レンズをさらに１枚以上加えるようにしても良い。
【００１８】
また、第２レンズ群Ｇ２は前群と後群とが概略対称的に配され、前群の負レンズ(第９レンズＬ９)の凹面を拡大側へ向け、後群の負レンズ(第１０レンズＬ１０)の凹面を縮小側へ向けて互いに逆向きにすることにより、ディストーション、倍率色収差といった軸外収差の発生を抑えることができるようになっている。
【００１９】
また、本実施形態の２群ズーム投影レンズは、第１レンズ群Ｇ１と第２レンズ群Ｇ２の２つのレンズ群を移動させることにより、ズーム機能を有する構成とされている。ここで、広角端から望遠端への変倍に際し、第１レンズ群Ｇ１は、拡大側から縮小側に向かって連続的に移動するように構成され、第２レンズ群Ｇ２は、縮小側から拡大側に向かって連続的に移動するように構成されている。
【００２０】
次に、上述した条件式（１）〜（４）の技術的意義について説明する。
【００２１】
上記条件式（１）は、第２レンズ群Ｇ２内の負レンズの屈折率を規定するもので、この条件式（１）を満足することにより、球面収差と色収差を良好に補正することができる。
【００２２】
上記条件式（２）は、第２レンズ群Ｇ２内のパワー配分を適切に設定するためのものである。この条件式（２）の範囲を逸脱すると、諸収差、とりわけ球面収差が悪化する。
【００２３】
上記条件式（３）は、レンズ系全体のパワー配分を適切に設定するためのものである。上限を上回ると第２レンズ群Ｇ２で発生する収差が大きくなり、レンズ系全体の収差補正が困難となる。一方、下限を下回ると第１レンズ群Ｇ１と第２レンズ群Ｇ２の間隔が大きくなり過ぎるため、レンズ系全体の小型化が困難となる。
【００２４】
上記条件式（４）はレンズ系全体のパワー配分を適切に設定するためのものである。上限を上回ると第１レンズ群Ｇ１で発生する収差が大きくなり、レンズ系全体の収差補正が困難となる。一方、下限を下回ると第１レンズ群Ｇ１と第２レンズ群Ｇ２の間隔が大きくなり過ぎるため、レンズ系全体の小型化が困難となる。
【００２５】
次に、本発明に係る投写型表示装置の実施形態について簡単に説明しておく。図９は本実施形態に係る投写型表示装置の概略構成図である。
【００２６】
図９に示すように、光源１０１より出射された光束は、不図示のカラーホイールによって、３原色光（Ｒ、Ｇ、Ｂ）の各光に時系列的に選択変換され、照明光学系１０２によって光束の光軸と垂直な断面における光量分布の均一化を図られてＤＭＤ１０３に照射される。このＤＭＤ１０３においては、入射光の色の切り替わりに応じて、その色光用への変調切替が行われ、ＤＭＤ１０３により適宜変調された投影光は、２群ズーム投影レンズ１０４に入射し、最終的にはスクリーン１０５に到達する。
【００２７】
なお、図９に示す投写型表示装置は、本発明の１実施形態を示すものであって、種々の態様の変更が可能である。例えば、単板のＤＭＤを設ける替わりに、各色光に応じた３枚のＤＭＤによりＲＧＢ各色の変調を同時に行うようにしても良い。この場合２群ズーム投影レンズ１０４とＤＭＤ１０３との間に図示しない色分離／合成プリズムが配置される。
【実施例】
【００２８】
以下、具体的な実施例を用いて、本発明の２群ズーム投影レンズをさらに説明する。
【００２９】
＜実施例１＞
実施例１に係る２群ズーム投影レンズの概略構成を図１に示す。この２群ズーム投影レンズは、拡大側より順に、負の屈折力を有する第１レンズ群Ｇ１と、正の屈折力を有する第２レンズ群Ｇ２とを配設してなる。
【００３０】
ここで第１レンズ群Ｇ１は、拡大側より順に、拡大側に凸面を向けた正のメニスカスレンズよりなる第１レンズＬ１、拡大側に凸面を向けた負のメニスカスレンズよりなる第２レンズＬ２、両凹レンズである第３レンズＬ３、両凸レンズである第４レンズＬ４および両凹レンズである第５レンズＬ５からなる。一方、第２レンズ群Ｇ２においては、前群は拡大側より順に、両凸レンズである第６レンズＬ６、両凸レンズである第７レンズＬ７、両凸レンズである第８レンズＬ８、拡大側に凹面を向けた負のメニスカスレンズよりなる第９レンズＬ９からなり、後群は拡大側より順に、両凹レンズである第１０レンズＬ１０、両凸レンズである第１１レンズＬ１１および両凸レンズである第１２レンズＬ１２からなる。
【００３１】
第２レンズ群Ｇ２を前後に分けた概略対称的な構成とし、前群の第９レンズＬ９の拡大側凹面と、後群の第１０レンズＬ１０の縮小側凹面により、ディストーション、倍率色収差といった軸外収差の発生を抑えることができるようになっている。
【００３２】
この２群ズーム投影レンズの各レンズ面の曲率半径Ｒ（ｍｍ）、各レンズの中心厚および各レンズ間の空気間隔（以下、これらを総称して軸上面間隔という）Ｄ（ｍｍ）、各レンズのｄ線における、屈折率Ｎおよびアッベ数νの値を表１に示す。なお、表中の数字は、拡大側からの順番を表すものである。また、表１の中段には、焦点距離ｆ、バックフォーカスの距離ｂｆ、ＦＮｏ．、画角２ωの値が示されている。
【００３３】
【表１】
2007079107.tif 000003
【００３４】
また、実施例１の２群ズーム投影レンズによれば、表１の下段に示すように、条件式（１）〜（４）は満足されている。なお、レンズ系の全長（第１レンズＬ１の物体側の面から最終レンズの像側の面までの距離：以下同じ）は７５．０ｍｍとされている。
【００３５】
図２は実施例１の２群ズーム投影レンズの球面収差、非点収差、ディストーションおよび倍率色収差を示す収差図である。なお、非点収差図には、サジタル像面およびタンジェンシャル像面に対する収差が示されている。これらの収差図においてｈは像高を示す。
【００３６】
これらの収差図から明らかなように、実施例１の２群ズーム投影レンズによれば、各収差、特に倍率色収差を極めて良好に補正することができる。
【００３７】
＜実施例２＞
実施例２に係る２群ズーム投影レンズの概略構成を図３に示す。本実施例において、実施例１と重複する説明については省略する。
【００３８】
実施例２に係る２群ズーム投影レンズのレンズ構成は、実施例１のものと比較すると、第２レンズ群Ｇ２の構成が異なっている。具体的には、この第２レンズ群Ｇ２の前群の最も拡大側のレンズが、拡大側に凹面を向けた正のメニスカスレンズよりなる第６レンズＬ６とされている点で異なっている。
【００３９】
第２レンズ群Ｇ２を前後に分けた概略対称的な構成とし、前群の第９レンズＬ９の拡大側凹面と、後群の第１０レンズＬ１０の縮小側凹面により、ディストーション、倍率色収差といった軸外収差の発生を抑えることができるようになっている。
【００４０】
この２群ズーム投影レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値を表２に示す。なお、表中の数字は、拡大側からの順番を表すものである。また、表２の中段には、焦点距離ｆ、バックフォーカスの距離ｂｆ、ＦＮｏ．、画角２ωの値が示されている。
【００４１】
【表２】
2007079107.tif 000004
【００４２】
また、実施例２の２群ズーム投影レンズによれば、表２の下段に示すように、条件式（１）〜（４）は満足されている。なお、レンズ系の全長は６３．０ｍｍとされている。
【００４３】
図４は実施例２の２群ズーム投影レンズの球面収差、非点収差、ディストーションおよび倍率色収差を示す収差図である。なお、非点収差図には、サジタル像面およびタンジェンシャル像面に対する収差が示されている。これらの収差図においてｈは像高を示す。
【００４４】
これらの収差図から明らかなように、実施例２の２群ズーム投影レンズによれば、各収差、特に倍率色収差を極めて良好に補正することができる。
【００４５】
＜実施例３＞
実施例３に係る２群ズーム投影レンズの概略構成を図５に示す。本実施例において、実施例１と重複する説明については省略する。
【００４６】
実施例３に係る２群ズーム投影レンズのレンズ構成は、実施例１のものと比較すると、第２レンズ群Ｇ２の構成が異なっている。特に、第２レンズ群Ｇ２の前群のレンズ枚数が、実施例１のものでは４枚構成であるのに対し、本実施例のものでは３枚構成とされている。この第２レンズ群Ｇ２の前群の具体的構成は、拡大側より順に、両凸レンズである第６レンズＬ６、両凸レンズである第７レンズＬ７、拡大側に凹面を向けた負のメニスカスレンズよりなる第８レンズＬ８からなり、後群の具体的構成は拡大側より順に、両凹レンズである第９レンズＬ９、両凸レンズである第１０レンズＬ１０および両凸レンズである第１１レンズＬ１１からなる。
【００４７】
第２レンズ群Ｇ２を前後に分けた概略対称的な構成とし、前群の第８レンズＬ８の拡大側凹面と、後群の第９レンズＬ９の縮小側凹面により、ディストーション、倍率色収差といった軸外収差の発生を抑えることができるようになっている。
【００４８】
この２群ズーム投影レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値を表３に示す。なお、表中の数字は、拡大側からの順番を表すものである。また、表３の中段には、焦点距離ｆ、バックフォーカスの距離ｂｆ、ＦＮｏ．、画角２ωの値が示されている。
【００４９】
【表３】
2007079107.tif 000005
【００５０】
また、実施例３の２群ズーム投影レンズによれば、表３の下段に示すように、条件式（１）〜（４）は満足されている。なお、レンズ系の全長は６３．０ｍｍとされている。
【００５１】
図６は実施例３の２群ズーム投影レンズの球面収差、非点収差、ディストーションおよび倍率色収差を示す収差図である。なお、非点収差図には、サジタル像面およびタンジェンシャル像面に対する収差が示されている。これらの収差図においてｈは像高を示す。
【００５２】
これらの収差図から明らかなように、実施例３の２群ズーム投影レンズによれば、各収差、特に倍率色収差を極めて良好に補正することができる。
【００５３】
＜実施例４＞
実施例４に係る２群ズーム投影レンズの概略構成を図７に示す。本実施例において、実施例１と重複する説明については省略する。
【００５４】
実施例４に係る２群ズーム投影レンズのレンズ構成は、実施例１のものと比較すると、第１レンズ群Ｇ１、第２レンズ群Ｇ２ともに異なっている。特に、第１レンズ群Ｇ１のレンズ枚数が、実施例１のものでは５枚構成であるのに対し、本実施例のものでは４枚構成とされ、さらに、第２レンズ群Ｇ２の前群のレンズ枚数が、実施例１のものでは４枚構成であるのに対し、本実施例のものでは３枚構成とされている。ここで第１レンズ群Ｇ１の具体的構成は、拡大側より順に、両凸レンズである第１レンズＬ１、拡大側に凸面を向けた負のメニスカスレンズよりなる第２レンズＬ２、両凹レンズである第３レンズＬ３および拡大側に凸面を向けた正のメニスカスレンズよりなる第４レンズＬ４からなる。一方、第２レンズ群Ｇ２においては、前群の具体的構成は拡大側より順に、両凸レンズである第５レンズＬ５、両凸レンズである第６レンズＬ６、拡大側に凹面を向けた負のメニスカスレンズよりなる第７レンズＬ７からなり、後群の具体的構成は拡大側より順に、両凹レンズである第８レンズＬ８、両凸レンズである第９レンズＬ９および両凸レンズである第１０レンズＬ１０からなる。
【００５５】
第２レンズ群Ｇ２を前後に分けた概略対称的な構成とし、前群の第７レンズＬ７の拡大側凹面と、後群の第８レンズＬ８の縮小側凹面により、ディストーション、倍率色収差といった軸外収差の発生を抑えることができるようになっている。
【００５６】
この２群ズーム投影レンズの各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νの値を表４に示す。なお、表中の数字は、拡大側からの順番を表すものである。また、表４の中段には、焦点距離ｆ、バックフォーカスの距離ｂｆ、ＦＮｏ．、画角２ωの値が示されている。
【００５７】
【表４】
2007079107.tif 000006
【００５８】
また、実施例４の２群ズーム投影レンズによれば、表４の下段に示すように、条件式（１）〜（４）は満足されている。なお、レンズ系の全長は６３．０ｍｍとされている。
【００５９】
図８は実施例４の２群ズーム投影レンズの球面収差、非点収差、ディストーションおよび倍率色収差を示す収差図である。なお、非点収差図には、サジタル像面およびタンジェンシャル像面に対する収差が示されている。これらの収差図においてｈは像高を示す。
【００６０】
これらの収差図から明らかなように、実施例４の２群ズーム投影レンズによれば、各収差、特に倍率色収差を極めて良好に補正することができる。
【図面の簡単な説明】
【００６１】
【図１】本発明の実施例１に係る２群ズーム投影レンズの構成を示す概略図
【図２】実施例１の２群ズーム投影レンズの諸収差（球面収差、非点収差、ディストーションおよび倍率色収差）を示す収差図
【図３】本発明の実施例２に係る２群ズーム投影レンズの構成を示す概略図
【図４】実施例２の２群ズーム投影レンズの諸収差（球面収差、非点収差、ディストーションおよび倍率色収差）を示す収差図
【図５】本発明の実施例３に係る２群ズーム投影レンズの構成を示す概略図
【図６】実施例３の２群ズーム投影レンズの諸収差（球面収差、非点収差、ディストーションおよび倍率色収差）を示す収差図
【図７】本発明の実施例４に係る２群ズーム投影レンズの構成を示す概略図
【図８】実施例４の２群ズーム投影レンズの諸収差（球面収差、非点収差、ディストーションおよび倍率色収差）を示す収差図
【図９】本発明の２群ズーム投影レンズを用いた投写型表示装置の概略構成図
【符号の説明】
【００６２】
Ｌ１〜Ｌ１２    レンズ
Ｇ１〜Ｇ２    レンズ群
Ｘ    光軸
１、１０３    ＤＭＤ
２    カバーガラス（フィルタ部）
１０１    光源
１０２    照明光学系
１０４    ２群ズーム投影レンズ
１０５    スクリーン
【図１】
2007079107.tif 000007
【図２】
2007079107.tif 000008
【図３】
2007079107.tif 000009
【図４】
2007079107.tif 000010
【図５】
2007079107.tif 000011
【図６】
2007079107.tif 000012
【図７】
2007079107.tif 000013
【図８】
2007079107.tif 000014
【図９】
2007079107.tif 000015